(57)【要約】【課題】未知の表示モードによるアナログ画像信号であっても、より簡単に、且つ、より確実に画像表示することができる画像表示装置及び画像表示方法を提供する。【解決手段】ＣＰＵ１５にデジタル表示用信号を表示部１７に画像表示させる画像表示プログラム１６８を備える画像表示装置１において、アナログ画像信号中の同期信号の入力に基づいて、同期パラメータ情報を検出する同期パラメータ情報検出回路１２１と、アナログ画像信号の有効画素数を設定する入力部１８、又は、ＣＰＵ１５にアナログ画像信号の有効画素数を設定させる有効画素数取得プログラム１６７と、同期パラメータ情報と有効画素数とを含む設定表示モード情報に基づいて、Ａ／Ｄ変換部１１によりアナログ表示用信号をデジタル変換するためのドットクロックを生成するドットクロック生成回路１３と、を備えるよう構成した。【選択図】図１
2006178114.tif 000002
【特許請求の範囲】
【請求項１】
接続された外部装置から入力されるアナログ画像信号中のアナログ表示用信号をデジタル表示用信号に変換するアナログ／デジタル変換手段と、前記デジタル表示用信号を表示手段に画像表示させる表示制御手段と、を備える画像表示装置において、
前記アナログ画像信号中の水平同期信号と垂直同期信号の入力に基づいて、各同期信号の周期、位相差、水平ライン数を含む同期パラメータ情報を検出する同期パラメータ情報検出手段と、
前記アナログ画像信号の有効画素数を設定する有効画素数設定手段と、
前記同期パラメータ情報検出手段により検出された同期パラメータ情報と、前記有効画素数設定手段により設定された有効画素数とを含む設定表示モード情報を設定するための設定表示画面を前記表示手段に表示させる設定表示画面表示制御手段と、
前記設定表示モード情報を設定入力するための入力手段と、
前記設定表示モード情報を記憶する記憶手段と、
前記記憶手段に記憶された設定表示モード情報に基づいて、前記アナログ／デジタル変換手段により前記アナログ表示用信号をデジタル変換するためのドットクロックを生成するドットクロック生成手段と、を備え、
前記有効画素数設定手段は、前記外部装置から前記アナログ画像信号の有効画素数を取得する有効画素数取得手段を備えることを特徴とする画像表示装置。
【請求項２】
接続された外部装置から入力されるアナログ画像信号中のアナログ表示用信号をデジタル表示用信号に変換するアナログ／デジタル変換手段と、前記デジタル表示用信号を表示手段に画像表示させる表示制御手段と、を備える画像表示装置において、
前記アナログ画像信号中の水平同期信号と垂直同期信号の入力に基づいて、各同期信号の周期、位相差、水平ライン数を含む同期パラメータ情報を検出する同期パラメータ情報検出手段と、
前記アナログ画像信号の有効画素数を設定する有効画素数設定手段と、
前記同期パラメータ情報検出手段により検出された同期パラメータ情報と、前記有効画素数設定手段により設定された有効画素数とを含む設定表示モード情報を記憶する記憶手段と、
前記記憶手段に記憶された設定表示モード情報に基づいて、前記アナログ／デジタル変換手段により前記アナログ表示用信号をデジタル変換するためのドットクロックを生成するドットクロック生成手段と、
を備えることを特徴とする画像表示装置。
【請求項３】
前記有効画素数設定手段は、
前記外部装置から前記アナログ画像信号の有効画素数を取得する有効画素数取得手段を備えることを特徴とする請求項２に記載の画像表示装置。
【請求項４】
前記設定表示モード情報を設定するための設定表示画面を前記表示手段に表示させる設定表示画面表示制御手段と、
前記設定表示モード情報を設定入力するための入力手段と、
を備えることを特徴とする請求項２又は３に記載の画像表示装置。
【請求項５】
請求項３に記載の画像表示装置における画像表示方法であって、
前記同期パラメータ情報検出手段が、前記アナログ画像信号中の水平同期信号と垂直同期信号の入力に基づいて、各同期信号の周期、位相差、水平ライン数を含む同期パラメータ情報を検出する同期パラメータ情報検出ステップと、
前記有効画素数設定手段が、前記外部装置から前記アナログ画像信号の有効画素数を取得して設定する有効画素数設定ステップと、
前記記憶手段が、前記同期パラメータ情報検出手段により検出された同期パラメータ情報と、前記有効画素数設定手段により設定された有効画素数とを含む設定表示モード情報を記憶する記憶ステップと、
前記ドットクロック生成手段が、前記記憶手段に記憶された設定表示モード情報に基づいて、前記アナログ／デジタル変換手段により前記アナログ表示用信号をデジタル変換するためのドットクロックを生成するドットクロック生成ステップと、
前記アナログ／デジタル変換手段が、前記アナログ画像信号中のアナログ表示用信号を、前記ドットクロック生成ステップで生成されたドットクロックに従って、デジタル表示用信号に変換するアナログ／デジタル変換ステップと、
前記表示制御手段が、前記アナログ／デジタル変換ステップによってデジタル変換されたデジタル表示用信号を前記表示手段に画像表示させる画像表示ステップと、
を備えることを特徴とする画像表示方法。
【発明の詳細な説明】
【技術分野】
【０００１】
本発明は、画像表示装置及び画像表示方法に関する。
【背景技術】
【０００２】
従来、画像表示装置である液晶表示装置や、液晶プロジェクタなどでは、画面の表示モードとして、複数の解像度の表示モードを有することが多くなっている。例えば、画面の解像度においては、８００×６００ドット（ＳＶＧＡ）、１０２４×７６８ドット（ＸＧＡ）などがあり、これらは、ＶＥＳＡ規格に対応している。そして、画像表示装置は、表示モードに対応した水平同期間隔や垂直時間等の設定テーブルに従ってアナログ表示用信号をデジタル表示用信号に変換して所定の画像表示を行っている。
【０００３】
しかしながら、例えば、最近のコンピュータ用の画像表示装置は、ＶＥＳＡ規格に対応していない表示モードを使用する場合がある。また、同じ解像度であっても水平同期信号のタイミング等がコンピュータメーカによりばらつきがある。
【０００４】
そこで、このようなアナログ画像信号を別の画像表示装置に取り込んだ場合、例えば、登録されている表示モードの中で最も近い仕様の表示モードの設定テーブルを選択して、その最も近い仕様の設定テーブルの仕様に基づいて画像を表示するといった方法が採られている（例えば、特許文献１参照）。また、登録されていない種類の表示モードを追加して登録設定する方法も採られている（例えば、特許文献２参照）。
【特許文献１】特開２００３−２３３３６５号
【特許文献２】特開平０７−２６１７３２号
【発明の開示】
【発明が解決しようとする課題】
【０００５】
しかしながら、最も近い仕様の表示モードの設定テーブルを用いる方法では、例えば、表示モードの設定テーブルの値の一部がたまたま近いだけで、実際とは全く異なる表示モードが選択されてしまう場合や、アナログ画像信号を取り込むタイミングが適切でないため画像がぼやけてしまう場合などがあり、適切に画像を表示できないという問題がある。
【０００６】
また、登録されていない種類の表示モードを追加して登録設定する方法では、まず、所定の表示モード認識処理、具体的には、１垂直期間中の表示開始水平走査線位置の総本数や、１垂直期間中の表示終了水平走査線位置の総本数、１垂直期間中の水平走査線の総本数、１水平期間中の表示開始ドット位置、１水平期間中の総ドット数、１水平期間中の表示終了ドット位置などを検出して表示モードを認識する処理が行われるが、有効画素数（解像度）の設定はされないため、画像のサイズが適切でなく画面からはみ出してしまったり、反対に画面よりも著しく小さく表示されてしまうという問題があった。
【０００７】
本発明の課題は、未知の表示モードによるアナログ画像信号であっても、より簡単に、且つ、より確実に、画像表示することができる画像表示装置及び画像表示方法を提供することにある。
【課題を解決するための手段】
【０００８】
上記課題を解決するために、請求項１に記載の発明は、接続された外部装置から入力されるアナログ画像信号中のアナログ表示用信号をデジタル表示用信号に変換するアナログ／デジタル変換手段と、前記デジタル表示用信号を表示手段に画像表示させる表示制御手段と、を備える画像表示装置において、前記アナログ画像信号中の水平同期信号と垂直同期信号の入力に基づいて、各同期信号の周期、位相差、水平ライン数を含む同期パラメータ情報を検出する同期パラメータ情報検出手段と、前記アナログ画像信号の有効画素数を
設定する有効画素数設定手段と、前記同期パラメータ情報検出手段により検出された同期パラメータ情報と、前記有効画素数設定手段により設定された有効画素数とを含む設定表示モード情報を設定するための設定表示画面を前記表示手段に表示させる設定表示画面表示制御手段と、前記設定表示モード情報を設定入力するための入力手段と、前記設定表示モード情報を記憶する記憶手段と、前記記憶手段に記憶された設定表示モード情報に基づいて、前記アナログ／デジタル変換手段により前記アナログ表示用信号をデジタル変換するためのドットクロックを生成するドットクロック生成手段と、を備え、前記有効画素数設定手段は、前記外部装置から前記アナログ画像信号の有効画素数を取得する有効画素数取得手段を備えることを特徴とする。
【０００９】
請求項２に記載の発明は、接続された外部装置から入力されるアナログ画像信号中のアナログ表示用信号をデジタル表示用信号に変換するアナログ／デジタル変換手段と、前記デジタル表示用信号を表示手段に画像表示させる表示制御手段と、を備える画像表示装置において、前記アナログ画像信号中の水平同期信号と垂直同期信号の入力に基づいて、各同期信号の周期、位相差、水平ライン数を含む同期パラメータ情報を検出する同期パラメータ情報検出手段と、前記アナログ画像信号の有効画素数を設定する有効画素数設定手段と、前記同期パラメータ情報検出手段により検出された同期パラメータ情報と、前記有効画素数設定手段により設定された有効画素数とを含む設定表示モード情報を記憶する記憶手段と、前記記憶手段に記憶された設定表示モード情報に基づいて、前記アナログ／デジタル変換手段により前記アナログ表示用信号をデジタル変換するためのドットクロックを生成するドットクロック生成手段と、を備えることを特徴とする。
【００１０】
請求項３に記載の発明は、請求項２に記載の画像表示装置において、前記有効画素数設定手段は、前記外部装置から前記アナログ画像信号の有効画素数を取得する有効画素数取得手段を備えることを特徴とする。
【００１１】
請求項４に記載の発明は、請求項２又は３に記載の画像表示装置において、前記設定表示モード情報を設定するための設定表示画面を前記表示手段に表示させる設定表示画面表示制御手段と、前記設定表示モード情報を設定入力するための入力手段と、を備えることを特徴とする。
【００１２】
請求項５に記載の発明は、請求項３に記載の画像表示装置における画像表示方法であって、前記同期パラメータ情報検出手段が、前記アナログ画像信号中の水平同期信号と垂直同期信号の入力に基づいて、各同期信号の周期、位相差、水平ライン数を含む同期パラメータ情報を検出する同期パラメータ情報検出ステップと、前記有効画素数設定手段が、前記外部装置から前記アナログ画像信号の有効画素数を取得して設定する有効画素数設定ステップと、前記記憶手段が、前記同期パラメータ情報検出手段により検出された同期パラメータ情報と、前記有効画素数設定手段により設定された有効画素数とを含む設定表示モード情報を記憶する記憶ステップと、前記ドットクロック生成手段が、前記記憶手段に記憶された設定表示モード情報に基づいて、前記アナログ／デジタル変換手段により前記アナログ表示用信号をデジタル変換するためのドットクロックを生成するドットクロック生成ステップと、前記アナログ／デジタル変換手段が、前記アナログ画像信号中のアナログ表示用信号を、前記ドットクロック生成ステップで生成されたドットクロックに従って、デジタル表示用信号に変換するアナログ／デジタル変換ステップと、前記表示制御手段が、前記アナログ／デジタル変換ステップによってデジタル変換されたデジタル表示用信号を前記表示手段に画像表示させる画像表示ステップと、を備えることを特徴とする。
【発明の効果】
【００１３】
請求項１に記載の発明によれば、有効画素数取得手段により、外部装置から、外部装置から入力されるアナログ画像信号の有効画素数を取得して設定することができる。すなわ
ち、外部装置から入力されるアナログ画像信号が、未知の表示モードを有するアナログ画像信号であると判明した場合は、外部装置から、直接、アナログ画像信号が有する有効画素数を取得することができる。また、同期パラメータ情報検出手段により、接続された外部装置から入力されるアナログ画像信号中の水平同期信号と垂直同期信号の入力に基づいて、各同期信号の周期、位相差、水平ライン数を含む同期パラメータ情報を検出することができ、そして、ドットクロック生成手段により、同期パラメータ情報検出手段によって検出された同期パラメータ情報と、有効画素数設定手段によって設定された有効画素数とを含む設定表示モード情報に基づいて、アナログ／デジタル変換手段によってアナログ表示用信号をデジタル変換するためのドットクロックを生成することができる。これにより、表示モードの設定テーブルの値の一部がたまたま近いだけで、実際とは全く異なる表示モードが選択されてしまったり、アナログ画像信号を取り込むタイミングが適切でないため画像がぼやけてしまうといった問題が生じることがなくなって、結果として、外部装置から入力されるアナログ画像信号が、未知の表示モードを有するアナログ画像信号であっても、より簡単に、且つ、より確実に、画像表示することができることとなる。つまり、有効画素数の設定がされないために、画像のサイズが適切でなく、画像が画面からはみ出してしまったり、画像が画面よりも著しく小さく表示されてしまうといった問題を解消することができるようになる。
【００１４】
さらには、設定表示画面表示制御手段により、設定表示モード情報を設定するための設定表示画面を表示手段に表示させることができ、さらに、入力手段により、設定表示モード情報を設定入力することができる。したがって、オペレータに設定表示モード情報を提示することができ、さらに、オペレータに設定表示モード情報を設定入力させることができるため、外部装置から入力されるアナログ画像信号が、未知の表示モードを有するアナログ画像信号であっても、オペレータが期待したとおりに画像表示することができることとなる。
【００１５】
請求項２に記載の発明によれば、有効画素数設定手段により、アナログ画像信号の有効画素数を設定することができる。さらに、同期パラメータ情報検出手段により、接続された外部装置から入力されるアナログ画像信号中の水平同期信号と垂直同期信号の入力に基づいて、各同期信号の周期、位相差、水平ライン数を含む同期パラメータ情報を検出することができ、そして、ドットクロック生成手段により、同期パラメータ情報検出手段によって検出された同期パラメータ情報と、有効画素数設定手段によって設定された有効画素数とを含む設定表示モード情報に基づいて、アナログ／デジタル変換手段によってアナログ表示用信号をデジタル変換するためのドットクロックを生成することができる。これにより、表示モードの設定テーブルの値の一部がたまたま近いだけで、実際とは全く異なる表示モードが選択されてしまう、アナログ画像信号を取り込むタイミングが適切でないため画像がぼやけてしまう、といった問題が生じることがなくなって、結果として、外部装置から入力されるアナログ画像信号が、未知の表示モードを有するアナログ画像信号であっても、簡単に、且つ、確実に、画像表示することができることとなる。つまり、有効画素数の設定はされないために、画像のサイズが適切でなく、画像が画面からはみ出してしまったり、画像が画面よりも著しく小さく表示されてしまうといった問題を解消することができるようになる。
【００１６】
請求項３に記載の発明によれば、請求項２に記載の発明と同様の効果が得られることは無論のこと、有効画素数取得手段により、外部装置から、外部装置から入力されるアナログ画像信号が有する有効画素数を取得することができる。すなわち、外部装置から入力されるアナログ画像信号が、未知の表示モードを有するアナログ画像信号であると判明した場合は、外部装置から、直接、アナログ画像信号が有する有効画素数を取得することができる。したがって、オペレータが、外部装置から入力されるアナログ画像信号の有効画素数を知らない場合であっても、自動的に有効画素数を設定できるため、より簡単に、且つ、より確実に、画像表示することができることとなる。
【００１７】
請求項４に記載の発明によれば、請求項２又は３に記載の発明と同様の効果が得られることは無論のこと、設定表示画面表示制御手段により、設定表示モード情報を設定するための設定表示画面を表示手段に表示させることができ、さらに、入力手段により、設定表示モード情報を設定入力することができる。したがって、オペレータに設定表示モード情報を提示することができ、さらに、オペレータに設定表示モード情報を設定入力させることができるため、オペレータが予め知っている設定表示モード情報についての確認及び入力ができることとなって、より一層簡単に、且つ、より一層確実に、オペレータが期待したとおりに画像表示することができることとなる。
【００１８】
請求項５に記載の発明によれば、有効画素数設定ステップにより、外部装置からアナログ画像信号の有効画素数を取得して設定することができる。すなわち、外部装置から入力されるアナログ画像信号が、未知の表示モードを有するアナログ画像信号であると判明した場合は、有効画素数設定ステップにより、外部装置から、直接、アナログ画像信号が有する有効画素数を取得することができる。さらに、同期パラメータ情報検出ステップにより、接続された外部装置から入力されるアナログ画像信号中の水平同期信号と垂直同期信号の入力に基づいて、各同期信号の周期、位相差、水平ライン数を含む同期パラメータ情報を検出することができ、そして、ドットクロック生成ステップにより、同期パラメータ情報検出ステップによって検出された同期パラメータ情報と、有効画素数設定ステップによって設定された有効画素数とを含む設定表示モード情報に基づいて、アナログ／デジタル変換手段によってアナログ表示用信号をデジタル変換するためのドットクロックを生成することができる。この方法により、表示モードの設定テーブルの値の一部がたまたま近いだけで、実際とは全く異なる表示モードが選択されてしまったり、アナログ画像信号を取り込むタイミングが適切でないため画像がぼやけてしまう、といった問題が生じることがなくなって、結果として、外部装置から入力されるアナログ画像信号が、未知の表示モードを有するアナログ画像信号であっても、より簡単に、且つ、より確実に、画像表示することができることとなる。つまり、この方法によれば、画像のサイズが適切でなく、画像が画面からはみ出してしまう、画像が画面よりも著しく小さく表示されてしまうといった問題が生じることがなくなる。
【発明を実施するための最良の形態】
【００１９】
以下、図を参照して、本発明にかかる画像表示装置及び当該画像表示装置における画像表示方法の最良の形態を詳細に説明する。
[画像表示装置]
画像表示装置１は、例えば、図１に示すように、コネクタ３を介して、外部装置２に接続されおり、外部装置２から入力されるアナログ画像信号に対応した画像を生成して表示する。
【００２０】
画像表示装置１は、例えば、図１に示すように、Ａ／Ｄ変換部１１、スケーラ１２、ドットクロック生成回路１３、読出用ドットクロック生成回路１４、ＣＰＵ（Central Processing Unit）１５、記憶部１６、表示部１７、入力部１８などを備えて構成される。
【００２１】
Ａ／Ｄ変換部１１は、例えば、接続された外部装置２から入力されるアナログ画像信号中のアナログ表示用信号Ｒａ、Ｇａ、Ｂａをデジタル表示用信号Ｒｄ１、Ｇｄ１、Ｂｄ１に変換する。本発明のＡ／Ｄ変換部１１は、例えば、図１に示すように、外部装置２から入力される赤、緑、青に対応するアナログ表示用信号Ｒａ、Ｇａ、Ｂａを、それぞれデジタル表示用信号Ｒｄ１、Ｇｄ１、Ｂｄ１に変換して、スケーラ１２に出力する際に使用され、アナログ／デジタル変換手段として機能する。ここで、本発明のＡ／Ｄ変換部１１は、ドットクロック生成回路１３から送入されるドットクロックＤＣ１をサンプリング周波数として、アナログ表示用信号Ｒａ、Ｇａ、Ｂａをデジタル変換する。
【００２２】
スケーラ１２は、例えば、マイクロコンピュータなどを内蔵するＩＣ（集積回路素子）である。スケーラ１２は、例えば、Ａ／Ｄ変換部１１から入力されるデジタル表示用信号Ｒｄ１、Ｇｄ１、Ｂｄ１を、表示部１７の表示画素数に適合したデジタル表示用信号Ｒｄ２、Ｇｄ２、Ｂｄ２に変換して、表示部１７に出力する。具体的には、スケーラ１２は、例えば、図１に示すように、同期パラメータ情報検出回路１２１、表示用信号メモリ１２２、表示部駆動回路１２３などから構成される。
【００２３】
同期パラメータ情報検出回路１２１は、接続された外部装置２から入力されるアナログ画像信号中の水平同期信号Ｈｓｙｎｃ、垂直同期信号Ｖｓｙｎｃなどの同期信号の入力に基づいて、同期パラメータ情報を検出する際などに使用され、同期パラメータ情報検出手段として機能する。同期パラメータ情報は、具体的には、例えば、水平同期信号Ｈｓｙｎｃの周期、垂直同期信号Ｖｓｙｎｃの周期、水平同期信号Ｈｓｙｎｃと垂直同期信号Ｖｓｙｎｃとの位相差、水平ライン数などを含む。同期パラメータ情報検出回路１２１により検出された同期パラメータ情報は、ＣＰＵ１５に出力され、記憶部１６に記憶される。
【００２４】
表示用信号メモリ１２２は、Ａ／Ｄ変換部１１から入力されるデジタル表示用信号Ｒｄ１、Ｇｄ１、Ｂｄ１を、ドットクロック生成回路１３から送入されるドットクロックＤＣ１に従って、一時的に格納する。
【００２５】
表示部駆動回路１２３は、表示用信号メモリ１２２に格納されたデジタル表示用信号Ｒｄ１、Ｇｄ１、Ｂｄ１を、読出用ドットクロック生成回路１４からスケーラ１２へ送入される読出用ドットクロックＤＣ２に従って読み出し、そして、アナログ画像信号が有する有効画素数（解像度）と、表示部１７の表示画素数とに従って、デジタル表示用信号Ｒｄ１、Ｇｄ１、Ｂｄ１に対して補間処理を行う。
【００２６】
さらに、表示部駆動回路１２３は、表示部１７の駆動タイミングパルス（表示水平同期パルスＨ、表示垂直同期パルスＶ、表示ドットクロックＤＣ３）を生成する。当該駆動タイミングパルスに従って、表示部駆動回路１２３から表示部１７へ、デジタル表示用信号Ｒｄ２、Ｇｄ２、Ｂｄ２が出力されることによって、表示部１７に画像が表示される。
【００２７】
ドットクロック生成回路１３は、接続された外部装置２から入力されるアナログ画像信号中の水平同期信号Ｈｓｙｎｃを、記憶部１６に記憶された設定表示モード情報に基づいてＣＰＵ１５が指定する逓倍率で逓倍して、ドットクロックＤＣ１を生成する。そして、生成したドットクロックＤＣ１を、例えば、Ａ／Ｄ変換部１１や、スケーラ１２内の表示用信号メモリ１２２などに出力する。本発明のドットクロック生成回路１３は、例えば、Ａ／Ｄ変換部１１によりアナログ表示用信号Ｒａ、Ｇａ、Ｂａをデジタル変換するためのドットクロックＤＣ１を生成する際に使用され、ドットクロック生成手段として機能する。また、本発明のドットクロック生成回路１３において生成されるドットクロックＤＣ１は、例えば、Ａ／Ｄ変換部１１から出力されるデジタル表示用信号Ｒｄ１、Ｇｄ１、Ｂｄ１を表示用信号メモリ１２２に格納する際などにも使用される。
【００２８】
読出用ドットクロック生成回路１４は、ＣＰＵ１５の制御に基づいて、読出用ドットクロックＤＣ２を生成して、スケーラ１２に出力する。本発明の読出用ドットクロック生成回路１４において生成される読出用ドットクロックＤＣ２は、例えば、表示部駆動回路１２３が、表示用信号メモリ１２２から、表示用信号メモリ１２２に格納されたデジタル表示用信号Ｒｄ１、Ｇｄ１、Ｂｄ１を読み出す際などに使用される。
【００２９】
ＣＰＵ１５は、記憶部１６に記憶された画像表示装置１用の各種処理プログラムに従って各種の制御動作を行う。
【００３０】
記憶部１６は、画像表示装置１で実行可能なシステムプログラム、当該システムプログラムで実行可能な各種処理プログラム、これら各種処理プログラムを実行する際に使用されるデータ、ＣＰＵ１５によって演算処理された処理結果のデータなどを記憶する。なお、プログラムは、コンピュータが読み取り可能なプログラムコードの形で記憶部１６に記憶されている。具体的には、記憶部１６には、記憶手段としての設定表示モード情報データテーブル１６１、設定表示モード情報検索プログラム１６６、有効画素数取得プログラム１６７、画像表示プログラム１６８などが記憶されている。
【００３１】
設定表示モード情報データテーブル１６１は、同期パラメータ情報検出回路１２１により検出された同期パラメータ情報と、ＣＰＵ１５が有効画素数取得プログラム１６７を実行することにより、又は、オペレータが入力部１８の所定の操作によって設定入力することにより設定した有効画素数とを含む設定表示モード情報を記憶する。設定表示モード情報データテーブル１６１は、具体的には、例えば、図２に示すように、“設定表示モード情報”として、同期パラメータ情報１６１ａと、有効画素数１６１ｂなどとを対応付けて記憶している。同期パラメータ情報１６１ａには、水平同期信号Ｈｓｙｎｃの周期１６１ａ１、垂直同期信号Ｖｓｙｎｃの周期１６１ａ２、水平同期信号Ｈｓｙｎｃと垂直同期信号Ｖｓｙｎｃとの位相差１６１ａ３、水平ライン数１６１ａ４などが含まれている。
【００３２】
同期パラメータ情報１６１ａは、同期パラメータ情報１６１ａが同期パラメータ情報検出回路１２１により検出され、ＣＰＵ１５に出力された時点で、設定表示モード情報データテーブル１６１に記憶されるようになっている。有効画素数１６１ｂは、ＣＰＵ１５が有効画素数取得プログラム１６７を実行することによって、又は、オペレータが入力部１８の所定の操作により設定入力することによって、有効画素数を設定した時点で、設定表示モード情報データテーブル１６１に記憶されるようになっている。
【００３３】
設定表示モード情報検索プログラム１６６は、ＣＰＵ１５に、同期パラメータ情報検出回路１２１によって検出した同期パラメータ情報１６１ａが、設定表示モード情報データテーブル１６１に記憶されているか否かを検索し、記憶されていないと判断すると、設定表示モード情報を設定するための設定表示画面を表示部１７に表示させる機能を実現させる。具体的には、ＣＰＵ１５は、設定表示モード情報検索プログラム１６６を実行することによって、まず、同期パラメータ情報検出回路１２１に、外部装置２から入力されるアナログ画像信号中の水平同期信号Ｈｓｙｎｃ、垂直同期信号Ｖｓｙｎｃなどの同期信号の入力に基づいて、同期パラメータ情報１６１ａを検出させる。次いで、ＣＰＵ１５は、当該検出した同期パラメータ情報１６１ａが、設定表示モード情報データテーブル１６１に記憶されているか否かを検索する。そして、ＣＰＵ１５は、設定表示モード情報データテーブル１６１に同期パラメータ情報１６１ａが記憶されていると判断すると、設定表示モード情報データテーブル１６１から、同期パラメータ情報１６１ａに対応する有効画素数１６１ｂを取得する。一方、ＣＰＵ１５は、設定表示モード情報データテーブル１６１に同期パラメータ情報１６１ａが記憶されていないと判断すると、表示部駆動回路１２３を介して、表示部１７に、設定表示モード情報を設定するための設定表示画面を表示させる。ＣＰＵ１５は、かかる設定表示モード情報検索プログラム１６６を実行することにより、設定表示画面表示制御手段として機能する。
【００３４】
有効画素数取得プログラム１６７は、ＣＰＵ１５に、外部装置２からアナログ画像信号が有する有効画素数を取得し、そして、当該取得した有効画素数を外部装置２から入力されるアナログ画像信号が有する有効画素数として設定する機能を実現させる。具体的には、ＣＰＵ１５は、有効画素数取得プログラム１６７を実行することによって、まず、外部装置２から、外部装置２から入力されるアナログ画像信号が有する有効画素数を取得する。次いで、ＣＰＵ１５は、当該取得した有効画素数を、アナログ画像信号が有する有効画素数１６１ｂとして設定し、予め記憶されている当該アナログ画像信号の同期パラメータ情報１６１ａに対応付けて、設定表示モード情報データテーブル１６１に記憶させる。Ｃ
ＰＵ１５は、かかる有効画素数取得プログラム１６７を実行することにより、有効画素数設定手段、有効画素数取得手段として機能する。
【００３５】
なお、外部装置２には、予め、画像表示装置１のＣＰＵ１５が、有効画素数取得プログラム１６７を実行して、アナログ画像信号が有する有効画素数を出力するよう指示すると、当該指示に従って、画像表示装置１にアナログ画像信号が有する有効画素数を出力するプログラムが設定されていることとする。
【００３６】
画像表示プログラム１６８は、ＣＰＵ１５に、デジタル表示用信号Ｒｄ２、Ｇｄ２、Ｂｄ２を表示部１７に画像表示させる機能を実現させる。具体的には、ＣＰＵ１５は、画像表示プログラム１６８を実行することによって、まず、スケーラ１２内の表示部駆動回路１２３に、読出用ドットクロックＤＣ２に基づいて、スケーラ１２内の表示用信号メモリ１２２に格納されたデジタル表示用信号Ｒｄ１、Ｇｄ１、Ｂｄ１を読み出させる。次いで、ＣＰＵ１５は、表示部駆動回路１２３に、当該読み出したデジタル表示用信号Ｒｄ１、Ｇｄ１、Ｂｄ１に対して補間処理を行わせ、当該補間処理したデジタル表示用信号Ｒｄ２、Ｇｄ２、Ｂｄ２を、表示部１７へ出力させる。これにより、表示部１７に画像が表示されることとなる。ＣＰＵ１５は、かかる画像表示プログラム１６８を実行することにより、表示制御手段として機能する。
【００３７】
表示部１７は、例えば、ＬＣＤ（Liquid Crystal Display）パネルなどから構成され、表示部駆動回路１２３を介して、ＣＰＵ１５から入力される表示信号に従って所与の表示処理を行う。本発明における表示部１７は、例えば、ＣＰＵ１５が、スケーラ１２内の表示部駆動回路１２３を介して、デジタル表示用信号Ｒｄ２、Ｇｄ２、Ｂｄ２を画像表示する際や、設定表示モード情報を設定するための設定表示画面を表示する際などに使用され、表示手段として機能する。
【００３８】
入力部１８は、例えば、カーソルキー、文字／数字キー、各種機能キーなどから構成され、オペレータのキー操作に伴う押下信号をＣＰＵ１５に出力する。本発明における入力部１８は、例えば、オペレータが、設定表示モード情報を設定入力する際や、当該設定入力によりアナログ画像信号の有効画素数を設定する際などに使用され、入力手段、有効画素数設定手段として機能する。
[画像表示装置における画像表示方法]
次に、画像表示装置１における処理について、図３のフローチャートを参照して説明する。
【００３９】
ここで前提として、外部装置２には、画像表示装置１のＣＰＵ１５が、有効画素数取得プログラム１６７を実行して、アナログ画像信号が有する有効画素数を出力するよう指示すると、当該指示に従って、画像表示装置１にアナログ画像信号が有する有効画素数を出力するプログラムが備えられているものとする。
【００４０】
接続された外部装置２からアナログ画像信号が入力されると（ステップＳ１）、ＣＰＵ１５は、設定表示モード情報検索プログラム１６６を実行して、同期パラメータ情報検出回路１２１に、当該アナログ画像信号中の水平同期信号Ｈｓｙｎｃ、垂直同期信号Ｖｓｙｎｃなどの同期信号に基づいて、水平同期信号Ｈｓｙｎｃの周期１６１ａ１、垂直同期信号Ｖｓｙｎｃの周期１６１ａ２、水平同期信号Ｈｓｙｎｃと垂直同期信号Ｖｓｙｎｃとの位相差１６１ａ３、水平ライン数１６１ａ４などを含む同期パラメータ情報１６１ａを検出させる（ステップＳ２）。
【００４１】
ステップＳ２において、同期パラメータ情報検出回路１２１が同期パラメータ情報１６１ａを検出すると、ＣＰＵ１５は、記憶部１６内の設定表示モード情報データテーブル１
６１に、当該検出した同期パラメータ情報１６１ａが記憶されているか否かを判断する（ステップＳ３）。
【００４２】
ステップＳ３において、同期パラメータ情報１６１ａが記憶されていると判断すると（ステップＳ３；Ｙｅｓ）、ＣＰＵ１５は、設定表示モード情報データテーブル１６１から、同期パラメータ情報１６１ａに対応する有効画素数１６１ｂを取得する（ステップＳ４）。
【００４３】
次いで、ＣＰＵ１５は、ステップＳ２において検出した同期パラメータ情報１６１ａと、ステップＳ４において取得した有効画素数１６１ｂとを含む設定表示モード情報に基づいたドットクロックＤＣ１を、ドットクロック生成回路１３に生成させる（ステップＳ５）。
【００４４】
一方、ステップＳ３において、同期パラメータ情報１６１ａが記憶されていないと判断すると（ステップＳ３；Ｎｏ）、ＣＰＵ１５は、ステップＳ２において検出した同期パラメータ情報１６１ａを、設定表示モード情報データテーブル１６１に記憶する（ステップＳ６）。
【００４５】
次いで、ＣＰＵ１５は、スケーラ１２内の表示部駆動回路１２３を介して、表示部１７に、設定表示モード情報を設定するための設定表示画面を表示させる（ステップＳ７）。このとき、表示部１７には、例えば、図４に示すような設定表示画面が表示されている。設定表示画面は、具体的には、例えば、図４に示すように、設定表示モード情報として、外部装置２から入力されるアナログ画像信号中の水平同期信号の周期４Ａの値、アナログ画像信号中の垂直同期信号の周期４Ｂの値、水平同期信号と垂直同期信号との位相差４Ｃの値、水平ライン数４Ｄの値、アナログ画像信号が有する有効画素数４Ｅの値が表示されるようになっている。ここで、例えば、図４に示す設定表示画面においては、ステップＳ２において検出され、ステップＳ６において記憶された同期パラメータ情報１６１ａである水平同期信号の周期４Ａの値、垂直同期信号の周期４Ｂの値、位相差４Ｃの値、水平ライン数４Ｄの値が表示されている。一方、有効画素数４Ｅの値は、現時点では表示されておらず、ＣＰＵ１５が有効画素数取得プログラム１６７を実行することによって、又は、オペレータが入力部１８の所定の操作により設定入力することによって、表示されることとなる。さらに、設定表示画面には、例えば、図４に示すように、「自動設定」ボタン４Ｆが表示されている。
【００４６】
表示部１７に設定表示画面を表示させると、ＣＰＵ１５は、オペレータの入力部１８の所定の操作によって、設定表示画面の「自動設定」ボタン４Ｆが選択されたか否かを判断する（ステップＳ８）。
【００４７】
ステップＳ８において、「自動設定」ボタン４Ｆが選択されていないと判断すると（ステップＳ８；Ｎｏ）、ＣＰＵ１５は、オペレータの入力部１８の所定の操作によって、設定表示画面に、設定表示モード情報（例えば、有効画素数４Ｅの値など）が設定入力されたか否かを判断する（ステップＳ９）。
【００４８】
ステップＳ９において、設定表示画面に、設定表示モード情報が設定入力されないと判断すると（ステップＳ９；Ｎｏ）、ＣＰＵ１５は、再度、ステップＳ８以降の処理を繰り返し行う。
【００４９】
一方、ステップＳ９において、設定表示画面に、設定表示モード情報が設定入力されたと判断すると（ステップＳ９；Ｙｅｓ）、ＣＰＵ１５は、設定表示モード情報（例えば、有効画素数１６１ｂなど）を、ステップＳ６において記憶した同期パラメータ情報１６１ａと対応付けて設定表示モード情報データテーブル１６１に記憶する（ステップＳ１０）。
【００５０】
次いで、ＣＰＵ１５は、ステップＳ６において記憶した同期パラメータ情報１６１ａと
、ステップＳ１０において記憶した有効画素数１６１ｂなどとを含む設定表示モード情報を、設定表示モード情報データテーブル１６１から取得し、当該設定表示モード情報に基づいたドットクロックＤＣ１を、ドットクロック生成回路１３に生成させる（ステップＳ５）。
【００５１】
一方、ステップＳ８において、「自動設定」ボタン４Ｆが選択されたと判断すると（ステップＳ８；Ｙｅｓ）、ＣＰＵ１５は、有効画素数取得プログラム１６７を実行して、外部装置２から、外部装置２から入力されたアナログ画像信号が有する有効画素数１６１ｂを取得する（ステップＳ１１）。
【００５２】
次いで、ＣＰＵ１５は、ステップＳ１１において取得した有効画素数１６１ｂを、ステップＳ６において記憶した同期パラメータ情報１６１ａと対応付けて、設定表示モード情報データテーブル１６１に記憶する（ステップＳ１２）。
【００５３】
そして、ＣＰＵ１５は、ステップＳ１２において記憶した有効画素数１６１ｂを、設定表示画面の有効画素数４Ｅの値として表示する（ステップＳ１３）。
【００５４】
さらに、ＣＰＵ１５は、ステップＳ６において記憶した同期パラメータ情報１６１ａと、ステップＳ１２において記憶した有効画素数１６１ｂとを含む設定表示モード情報を、設定表示モード情報データテーブル１６１から取得し、当該設定表示モード情報に基づいたドットクロックＤＣ１を、ドットクロック生成回路１３に生成させる（ステップＳ５）。
【００５５】
ステップＳ５において、ドットクロックＤＣ１が生成され、当該ドットクロックＤＣ１が、Ａ／Ｄ変換部１１に入力されると、Ａ／Ｄ変換部１１は、ドットクロックＤＣ１をサンプリング周波数として、外部装置２から入力されるアナログ画像信号中のアナログ表示用信号Ｒａ、Ｇａ、Ｂａをデジタル表示用信号Ｒｄ１、Ｇｄ１、Ｂｄ１に変換する（ステップＳ１４）。そして、当該デジタル表示用信号Ｒｄ１、Ｇｄ１、Ｂｄ１は、ドットクロックＤＣ１に従って、スケーラ１２内の表示用信号メモリ１２２に一時的に格納される。
【００５６】
表示用信号メモリ１２２にデジタル表示用信号Ｒｄ１、Ｇｄ１、Ｂｄ１が格納されると、ＣＰＵ１５は、画像表示プログラム１６８を実行して、表示部駆動回路１２３に、読出用ドットクロック生成回路１４からスケーラ１２に送入される読出用ドットクロックＤＣ２に基づいて、表示用信号メモリ１２２に格納されたデジタル表示用信号Ｒｄ１、Ｇｄ１、Ｂｄ１を読み出させる。次いで、ＣＰＵ１５は、表示部駆動回路１２３に、当該読み出したデジタル表示用信号Ｒｄ１、Ｇｄ１、Ｂｄ１に対して補間処理を行わせる。そして、ＣＰＵ１５は、表示部駆動回路１２３に、表示部駆動回路１２３が生成する表示部１７の駆動タイミングパルス（表示水平同期パルスＨ、表示垂直同期パルスＶ、表示ドットクロックＤＣ３）に基づいて、当該補間処理されたデジタル表示用信号Ｒｄ２、Ｇｄ２、Ｂｄ２を、表示部１７へ出力させる。これにより、表示部１７に画像が表示される（ステップＳ１５）。
【００５７】
ステップＳ１５において、デジタル表示用信号Ｒｄ２、Ｇｄ２、Ｂｄ２を表示部１７に画像表示させると、ＣＰＵ１５は、オペレータの入力部１８の所定の操作によって、設定表示モード情報を再設定するよう指示されたか否かを判断する（ステップＳ１６）。
【００５８】
ステップＳ１６において、設定表示モード情報を再設定するよう指示されたと判断すると（ステップＳ１６；Ｙｅｓ）、ＣＰＵ１５は、再度、ステップＳ７以降の処理を繰り返して行う。
【００５９】
一方、ステップＳ１６において、設定表示モードを再設定するよう指示されていないと判断すると（ステップＳ１６；Ｎｏ）、ＣＰＵ１５は、本処理を終了する。
【００６０】
以上説明した本発明の画像表示装置１によれば、ＣＰＵ１５が有効画素数取得プログラ
ム１６７を実行することにより、又は、オペレータが入力部１８の所定の操作により設定入力することにより、アナログ画像信号の有効画素数を設定することができる。さらに、同期パラメータ情報検出回路１２１により、接続された外部装置２から入力されるアナログ画像信号中の水平同期信号Ｈｓｙｎｃと垂直同期信号Ｖｓｙｎｃの入力に基づいて、各同期信号の周期、位相差、水平ライン数を含む同期パラメータ情報を検出することができ、そして、ドットクロック生成回路１３により、同期パラメータ情報検出回路１２１によって検出された同期パラメータ情報と、ＣＰＵ１５が有効画素数取得プログラム１６７を実行することによって、又は、オペレータが入力部１８の所定の操作により設定入力することによって設定された有効画素数とを含む設定表示モード情報に基づいて、Ａ／Ｄ変換部１１によってアナログ表示用信号Ｒａ、Ｇａ、Ｂａをデジタル変換するためのドットクロックＤＣ１を生成することができる。これにより、表示モードの設定テーブルの値の一部がたまたま近いだけで、実際とは全く異なる表示モードが選択されてしまう、アナログ画像信号を取り込むタイミングが適切でないため画像がぼやけてしまう、といった問題が生じることがなくなって、結果として、外部装置２から入力されるアナログ画像信号が、未知の表示モードを有するアナログ画像信号であっても、簡単に、且つ、確実に、画像表示することができることとなる。つまり、有効画素数の設定はされないために、画像のサイズが適切でなく、画像が表示部１７の画面からはみ出してしまったり、画像が表示部１７画面よりも著しく小さく表示されてしまうといった問題を解消することができるようになる。
【００６１】
また、ＣＰＵ１５が有効画素数取得プログラム１６７を実行することにより、外部装置２から、外部装置２から入力されるアナログ画像信号が有する有効画素数を取得することができる。すなわち、外部装置２から入力されるアナログ画像信号が、未知の表示モードを有するアナログ画像信号であると判明した場合は、外部装置２から、直接、アナログ画像信号が有する有効画素数を取得することができる。したがって、オペレータが外部装置から入力されるアナログ画像信号の有効画素数を知らない場合であっても、自動的に有効画素数を設定できるため、より簡単に、且つ、より確実に、画像表示することができることとなる。
【００６２】
さらに、ＣＰＵ１５が設定表示モード情報検索プログラム１６７を実行することにより、設定表示モード情報を設定するための設定表示画面を表示部１７に表示させることができ、さらに、入力部１８により、設定表示モード情報を設定入力することができる。したがって、オペレータに設定表示モード情報を提示することができ、さらに、オペレータに設定表示モード情報を設定入力させることができるため、オペレータが予め知っている設定表示モード情報についての確認及び入力ができることとなって、オペレータが期待したとおりに画像表示することができることとなる。
【００６３】
なお、本発明は、上記した実施の形態のものに限るものではない。
【００６４】
例えば、図４に示す設定表示画面において、有効画素数４Ｅの値のみを、オペレータの入力部１８の所定の操作によって設定入力するようにしたが、設定表示画面上に値が既に表示されている、例えば、水平同期信号の周期４Ａ、垂直同期信号の周期４Ｂ、位相差４Ｃ、水平ライン数４Ｄなどについても、その値を、オペレータの入力部１８の所定の操作によって再設定入力することができるようにしても良い。これにより、設定表示モード情報をオペレータの所望の値に設定することができる。
【００６５】
また、図４に示す設定表示画面に表示されている設定表示モード情報は、この限りではない。外部装置２から入力されるアナログ画像信号が有する設定表示モード情報であれば、特に制限はない。
【００６６】
表示部１７の表示画素数は、例えば、オペレータの入力部１８の所定の操作によって、任意に設定できるようにしても良い。これにより、オペレータは、表示部１７に表示され
る画像のサイズを自由自在に変えることができることとなる。
【図面の簡単な説明】
【００６７】
【図１】本発明の実施の形態における画像表示装置の機能的構成を示すブロック図である。
【図２】図１に示した設定表示モード情報データテーブルのデータ構造を示す図である。
【図３】画像表示処理を説明するためのフローチャートを示す図である。
【図４】設定表示画面を示す図である。
【符号の説明】
【００６８】
１  画像表示装置
２  外部装置
１１  Ａ／Ｄ変換部（アナログ／デジタル変換手段）
１２  スケーラ
１３  ドットクロック生成回路（ドットクロック生成手段）
１４  読出用ドットクロック生成回路
１５  ＣＰＵ（設定表示画面表示制御手段、有効画素数設定手段、有効画素数取得手段、表示制御手段）
１６  記憶部
１７  表示部（表示手段）
１８  入力部（有効画素数設定手段、入力手段）
１２１  同期パラメータ情報検出回路（同期パラメータ情報検出手段）
１２２  表示用信号メモリ
１２３  表示部駆動回路
１６１  設定表示モード情報データテーブル（記憶手段）
１６６  設定表示モード情報検索プログラム（設定表示画面表示制御手段）
１６７  有効画素数取得プログラム（有効画素数設定手段、有効画素数取得手段）
１６８  画像表示プログラム（表示制御手段）
ＤＣ１  ドットクロック
Ｒａ、Ｇａ、Ｂａ  アナログ表示用信号
Ｒｄ１、Ｒｄ２、Ｇｄ１、Ｇｄ２、Ｂｄ１、Ｂｄ２  デジタル表示用信号
Ｈｓｙｎｃ  水平同期信号
Ｖｓｙｎｃ  垂直同期信号
【図１】
2006178114.tif 000003
【図２】
2006178114.tif 000004
【図３】
2006178114.tif 000005
【図４】
2006178114.tif 000006